(57)【要約】【課題】  安定した回転が得られる剛性力を確保しつつ、薄型化を図ることができるディスク駆動装置及びこれを用いた磁気ディスク装置を提供する。【解決手段】  円筒状の軸受スリーブ２と、軸受スリーブ２内に回転自在に支持されたシャフト３と、シャフト３の先端に保持されるとともに、軸受スリーブ２の外側方でディスク媒体５を載置する受部４ｊが張り出し形成されたハブ４と、ハブ４の受部４ｊとの間にディスク媒体５を挟持するクランプ６とを備えたディスク駆動装置Bにおいて、クランプ６は、ハブ４の頭部４ｈに外挿されるリング状に形成されるとともに、ハブ４の頭部４ｈ外周には雄ネジ部４ｄが形成され、雄ネジ部４ｄに、クランプ６にクランプ力を与え、ディスク媒体５を挟持させるナット９が螺合されている。【選択図】    図１
2006139859.tif 000002
【特許請求の範囲】
【請求項１】
円筒状の軸受スリーブと、該軸受スリーブ内に回転自在に支持されたシャフトと、該シャフトの先端に保持されるとともに、前記軸受スリーブの外側方でディスク媒体を載置する受部が張り出し形成されたハブと、該ハブの前記受部との間に前記ディスク媒体を挟持するクランプとを備えたディスク駆動装置において、
前記クランプは、前記ハブの頭部に外挿されるリング状に形成されるとともに、前記ハブの前記頭部外周には雄ネジ部が形成され、該雄ネジ部に、前記クランプにクランプ力を与え、前記ディスク媒体を挟持させるナットが螺合されていることを特徴とするディスク駆動装置。
【請求項２】
請求項１記載のディスク駆動装置において、
前記ハブは、前記雄ネジ部の下方に、該雄ネジ部よりも大径の段差部を備えていることを特徴とするディスク駆動装置。
【請求項３】
請求項１または請求項２記載のディスク駆動装置を備えていることを特徴とする磁気ディスク装置。
【発明の詳細な説明】
【技術分野】
【０００１】
本発明は、ディスク媒体を保持しつつ一定高速回転させるディスク駆動装置及びこれを用いた磁気ディスク装置に関する。
【背景技術】
【０００２】
近年、例えばコンピュータなどの小型化、薄型化が図られる中、これに搭載されるハードディスク装置（磁気ディスク装置）の小型化、薄型化が求められている。この要求に応えるため、特に、コンピュータ等の薄型ハードディスク装置では、小型化、薄型化を図る手法の一つとして、ディスク媒体を保持し一定高速回転させるディスク駆動装置に、ディスク媒体をハブとクランプとで挟持させる手法が採用されている。
【０００３】
図２はこの種のディスク駆動装置の従来例を示す断面図である。このディスク駆動装置Ａは、いわゆる軸回転型のスピンドルモータと称されるもので、矩形板状のベース１と、このベース１に固定される円筒状の軸受スリーブ２と、ベース１に締結されるとともに、軸受スリーブ２の内部に回転自在に支持されるシャフト３と、シャフト３に締結される側断面が略Ω字状に形成された皿状のハブ４と、ハブ４とともにディスク媒体５を挟持するクランプ６と、クランプ６を固定するためのクランプネジ７とが主な構成要素とされている（例えば、特許文献１参照。）。
【０００４】
軸受スリーブ２は、ベース１に嵌め込まれて固定されるもので、その内周側にシャフト３を回転駆動させるための動圧軸受部８が構成されている。また、シャフト３は、略円柱状に形成され、上端側に外径が小となる小径部３ａを有しているとともに、内面に雌ネジが施されたネジ孔３ｂ、３ｆが上端と下端から軸線内方に向けて形成されている。ハブ４は、中央に筒状部４ａが形成されており、この筒状部４ａがシャフト３の小径部３ａの外周面３ｃに嵌め込まれて固定され、外周縁を形成する先端側にディスク媒体５に向けて突設された突起部４ｂが形成されている。クランプ６は、側断面が略Ω字状に形成された皿状の弾性部材であり、その中央に円形孔６ａが形成されている。クランプネジ７は、ネジ部７ａとネジ部頭部７ｂとを一体形成したものであり、ハブ４との間にクランプ６を介在させつつシャフト３の上端側に締結され、クランプ６を所定の位置に挟持固定するとともに、クランプ６に弾性力（クランプ力）を与え、ハブ４の突起部４ｂとクランプ６との間に介在されるディスク媒体５を挟持する。
【０００５】
このディスク駆動装置Ａにおいては、軸受スリーブ２とシャフト３の間の微小間隙部分に潤滑性オイルなどからなる潤滑流体が注入され、例えばシャフト３の動圧面に凹設された図示せぬ動圧発生用溝などで潤滑流体が加圧されて動圧が生じる。
【特許文献１】特開２００３−１６４１２８号公報
【発明の開示】
【発明が解決しようとする課題】
【０００６】
しかしながら、上記のディスク駆動装置においては、クランプネジの締結によってクランプを挟持固定するため、さらなる高さ寸法の低減を図り薄型化を図ることが困難であるという問題があった。
【０００７】
つまり、シャフトを短くして高さ寸法の低減を図った場合には、ディスク駆動装置の剛性力に大きく影響する動圧軸受部も短くなり、シャフト、しいてはディスク媒体を安定して回転させることができないという問題があった。また、動圧軸受部の長さを確保してシャフトを短くした場合（小径部の長さを短くした場合）には、ハブの締結が困難になるうえ、クランプネジの締結長も短くなり、クランプネジの締結力不足が生じてクランプの確実な固定ができなくなるという問題があった。
【０００８】
さらに、クランプネジの締結によってクランプを挟持固定する際に、クランプを所定位置に固定する位置決めが困難であり、ディスク媒体を所定のクランプ力で確実に挟持させることが難しく、安定性のある回転が得られない場合があるという問題があった。
【０００９】
本発明は、上記事情を鑑み、安定した回転が得られる剛性力を確保しつつ、薄型化を図ることができるディスク駆動装置及びこれを用いた磁気ディスク装置を提供することを目的としている。
【課題を解決するための手段】
【００１０】
上記の目的を達するために、この発明は以下の手段を提供している。
【００１１】
請求項１に係る発明は、円筒状の軸受スリーブと、該軸受スリーブ内に回転自在に支持されたシャフトと、該シャフトの先端に保持されるとともに、前記軸受スリーブの外側方でディスク媒体を載置する受部が張り出し形成されたハブと、該ハブの前記受部との間に前記ディスク媒体を挟持するクランプとを備えたディスク駆動装置において、前記クランプは、前記ハブの頭部に外挿されるリング状に形成されるとともに、前記ハブの前記頭部外周には雄ネジ部が形成され、該雄ネジ部に、前記クランプにクランプ力を与え、前記ディスク媒体を挟持させるナットが螺合されていることを特徴とする。
【００１２】
この発明に係るディスク駆動装置においては、ハブの頭部外周に雄ネジ部を設け、この雄ネジ部にナットを締結することによって、クランプを固定することができる。
【００１３】
請求項２に係る発明は、請求項１記載のディスク駆動装置において、前記ハブは、前記雄ネジ部の下方に、該雄ネジ部よりも大径の段差部を備えていることを特徴とする。
【００１４】
この発明に係るディスク駆動装置においては、ハブに段差部が設けられていることによって、ナットの締結位置を制限することができ、ナットの締めすぎを防止できる。
【００１５】
請求項３に係る発明は、請求項１または請求項２記載のディスク駆動装置を備えていることを特徴とする。
【００１６】
この発明に係る磁気ディスク装置においては、雄ネジ部を備えたハブにナットを締結する簡易な操作で、クランプを固定できるディスク駆動装置を備えることができる。
【発明の効果】
【００１７】
請求項１に係る発明によれば、ハブの頭部外周に雄ネジ部を設け、この雄ネジ部にナットを締結することによって、クランプを固定することができる。これにより、クランプネジおよびシャフトの小径部をなくし、クランプおよびナットをハブの高さとほぼ同等もしくは下方に位置させることができるため、動圧軸受部の長さを確保しつつディスク駆動装置の薄型化を図ることができる。また、リング状のクランプをハブに挿通させ、ナットの締結に伴ってクランプを押圧し固定できるため、クランプをクランプネジによって挟持固定する固定手段と比較し簡易な操作でクランプを固定することができ、ディスク駆動装置の組立を容易にすることができる。さらに、クランプの位置決めを比較的容易に行うことができ、組付け精度の向上を図ることができる。これにより、ディスク媒体にクランプ力を確実に付与することができるため、安定した回転が得られるディスク駆動装置を提供することができる。加えて、クランプネジおよびシャフトの小径部をなくすことができるため、特にシャフトの加工手間の減少を図ることができ、生産性、しいては経済性の向上を図ることができる。
【００１８】
請求項２に係る発明によれば、ハブに段差部が設けられていることによって、ナットの締結位置を制限することができ、ナットの締めすぎを防止できる。これにより、ナットを締結する簡易な操作によってクランプを所定のクランプ力が得られる位置に確実に固定できるとともに、ディスク媒体を確実に保持させることができる。
【００１９】
請求項３に係る発明によれば、雄ネジ部を備えたハブにナットを締結する簡易な操作で、クランプを固定できる請求項１または請求項２記載のディスク駆動装置を備えることにより、磁気ディスク装置の薄型化を図ることができるとともに、生産性、しいはて経済性の向上を図ることができる。
【発明を実施するための最良の形態】
【００２０】
以下、本発明の一実施形態に係るディスク駆動装置について図１を参照して説明する。ここでは、図２で示した従来のディスク駆動装置Ａと同様の構成について、同一符号を付し、その詳細についての説明を省略する。
【００２１】
本発明の一実施形態に示すディスク駆動装置は、磁気ディスク装置に搭載され、ディスク媒体を一定高速回転させるとともに、磁気形式のデジタルデータをディスク媒体のトラックに記憶させるために用いられるものである。
【００２２】
図１に示すように、本実施形態のディスク駆動装置Ｂは、矩形板状のベース１と、円筒状の軸受スリーブ２と、軸受スリーブ２に回転自在に支持されるシャフト３と、シャフト３に締結されるハブ４と、ハブ４の頭部４ｈ外周に設けられた詳細は後述の雄ネジ部４ｄに締結されるナット９と、中央にハブ４の外周に挿通される円形孔６ａを有し、ハブ４とともにディスク媒体５を挟持するクランプ６とが主な構成要素とされている。
【００２３】
シャフト３は、略円柱状に形成され、上端側の端面３ｄが軸受スリーブ２の上端側の端面２ａと水平一致するよう設けられている。また、下端側には、内面に雌ネジが施されたネジ孔３ｆが形成されている。
【００２４】
ハブ４は、例えばステンレスやアルミニウムなどの金属で形成され、シャフト３の上端側の端面３ｄと面接触し、軸受スリーブ２の外径よりも大きく形成された円板状の天井板部４ｅと、天井板部４ｅの下面４ｆの外周縁側からベース１に向けて軸線方向に垂下する側壁部４ｇと、側壁部４ｇの下端からシャフト３の軸線と直交する方向に径を大とするよう延出された張出部４ｍとから構成される。天井板部４ｅは、その頭部４ｈ外周に雄ネジ部４ｄが形成されている。一方、張出部４ｍの外周端には、上方に向かって突出する突出部４ｂが形成されており、この突出部４ｂの先端は後述のディスク媒体５と面接触する水平の受部４ｊが形成されている。また、天井板部４ｅから軸線方向に垂下する側壁部４ｇの途中、すなわち雄ネジ部４ｄの下方位置には、径を大とする方向に直角に折れ曲るとともに、その先端から軸線に沿って垂下する階段状の段差部４ｋが形成されている。
【００２５】
ディスク媒体５は、環状に形成された剛性体であり、その大きさは１インチ以下とされ、中心に形成された内孔５ａがハブ４の軸線方向に垂下する側壁部４ｇに挿通されるとともに、ハブ４の突出部４ｂの受部４ｊに面接触されて載置される。
【００２６】
ナット９は、例えばステンレスやアルミニウムなどの金属で形成されたものであり、ハブ４の天井板部４ｅの頭部４ｈ外周に形成された雄ネジ部４ｄに螺合され、締結された状態で、ハブ４の天井板部４ｅの上面４ｌに対しナット９の上面９ａの高さがほぼ同等もしくは下方に位置するように設けられている。
【００２７】
クランプ６は、例えばステンレスやアルミニウムなどの金属で形成され、側断面が略Ω字状に形成された皿状の弾性部材であり、その中央に円形孔６ａが形成されたリング状とされている。この円形孔６ａにハブ４の天井板部４ｅおよび段差部４ｋより上方の側壁部４ｇの一部が内面側から挿通されており、円形孔６ａ近傍の外周面６ｂがナット９の下面９ｂに押圧されつつ固定されている。また、外周縁側がハブ４の突出部４ｂの受部４ｊに向けて垂下されているとともに、外周縁側の一部が上方に折り曲げられており、この折曲点が折曲部６ｃとされ、折曲部６ｃが受部４ｊ上に載置されたディスク媒体５の上面５ｂを押圧している。
【００２８】
上記の構成において、ベース１の下面１ｃからナット９およびハブ４の天井板部４ｅの上面４ｌまでのディスク駆動装置Ｂの高さ寸法Ｈは、２．７ｍｍ以下とされている。
【００２９】
ついで、上記の構成からなるディスク駆動装置Ｂのディスク媒体５の保持方法について説明する。まず、ベース１に軸受スリーブ２を嵌め込み、軸受スリーブ２内にシャフト３を挿入しハブ４を設置する。さらに、ディスク媒体５の内孔５ａをハブ４の側壁部４ｇの外周に挿通し、ディスク媒体５をハブ４の突起部４ｂに形成された水平の受部４ｊに面接触させつつ載置する。ついで、クランプ６をその円形孔６ａにハブ４の天井板部４ｅおよび段差部４ｋよりも上方の側壁部４ｇ外周が挿通されるよう配置し、最後にハブ４の天井板部４ｅの頭部４ｈ外周に形成された雄ネジ部４ｄにナット９を締結する。このとき、ナット９の上面９ａが、ハブ４の天井板部４ｅの上面４ｌの高さとほぼ同等もしくは下方に位置するように締結する。このナット９の締結に伴い、ナット９によって弾性部材のクランプ６が押圧されるとともに、クランプ力が発生し、受部４ｊに載置されたディスク媒体５の上面５ｂがクランプ６の折曲部６ｃに押圧され、ナット９の締結が完了した段階で、ハブ４とクランプ６の間に介在するディスク媒体５が確実に挟持される。
【００３０】
したがって、上記の構成においては、シャフト３とハブ４が締結され、さらに、クランプ６の固定をハブ４の天井板部４ｅの頭部４ｈ外周に形成された雄ネジ部４ｄと、これに螺合され締結されるナット９によって行うことができるため、図２に示したクランプネジ７によるものと比較して、動圧軸受部８の長さを維持しつつ、クランプネジ７のネジ部頭部７ｂとクランプ６とハブ４の中央に形成された筒状部４ａの一部とを合わせた厚さ寸法Ｔ、もしくはそれ以上の厚さ寸法をディスク駆動装置Ａの高さ寸法から低減させることができる。これによって、ディスク駆動装置Ｂの薄型化を図ることができる。
【００３１】
また、上記の構成において、クランプ６にクランプ力を発生させ、ディスク媒体５を挟持させる手段は、ナット９の締結という簡易な操作であり、さらに、ハブ４の側壁部４ｇに段差部４ｋが形成されているため、ナット９の締めすぎを防止することができる。また、クランプ６は円形孔６ａにハブ４の天井板部４ｅおよび段差部４ｋよりも上方の側壁部４ｇの一部が挿通されているため、位置決めが容易となり、組付精度を容易に確保することができる。これにより、確実にディスク媒体５を保持することができ、安定した回転が得られるディスク駆動装置Ｂを提供することができる。
【００３２】
さらに、上記の構成においては、クランプネジ７を締結させるための小径部３ａを形成する必要がなく、クランプネジ７およびシャフト３の小径部３ａをなくすことができ、特にシャフト３の加工手間の減少を図ることができる。これにより、生産性、しいては経済性の向上を図ることができる。また、シャフト３の小径部３ａをなくすことにより、動圧軸受部８の長さを長くすることも可能で、ディスク媒体５を一定高速回転させるためのディスク駆動装置Ｂの剛性を高めることが可能になる。
【００３３】
以上、本発明に係るディスク駆動装置の実施の形態について説明したが、本発明は上記の一実施形態に限定されるものではなく、その趣旨を逸脱しない範囲で適宜変更可能である。例えば、上記の一実施形態では、段差部４ｋが、ナット９の締めすぎを防止するためのものであるとしたが、ナット９の締結を段差部４ｋにクランプ６が当接されるまで行うものとし、クランプ６の設置位置を限定させるために使用されてもよいものである。また、ナット９の締結とともにクランプ６とハブ４でディスク媒体５を確実に挟持できればよいため、段差部４ｋが形成されていなくてもよいものである。さらに、シャフト３とハブ４の締結は、例えば、シャフト３の上面３ｄとハブ４の内面４ｆを接着剤により接着させてもよく、また、例えばシャフト３の上面３ｄに垂直に突出する突起部を設けるとともに、ハブ４の下面４ｆに突起部が嵌合される嵌合孔を設けて締結されてもよいものである。この場合には、嵌合孔の内面と突起部の外周面に螺刻を施し螺合されて一体化されてもよいものである。さらに、ハブ４やクランプ６、シャフト３、軸受スリーブ２、ナット９は、ステンレスやアルミニウムの金属で形成されるものとしたが、その他の金属や樹脂により形成されていてもよいものである。
【００３４】
また、本実施形態に示したディスク駆動装置Ｂでは、１枚のディスク媒体５を挟持するものとしたが、この限りではなく、例えば、複数のディスク媒体の間にスペーサを介在させ、これらのディスク媒体がハブ４とクランプ６によって挟持されてもよいものである。
【００３５】
さらに、本実施形態に示したディスク駆動装置Ｂで挟持するディスク媒体５の大きさは、１インチ以下としたが、本発明のディスク駆動装置Ｂは、１インチよりも大きい、もしくは小さいディスク媒体に適用されてもよいものである。
【００３６】
また、本実施形態に示したディスク駆動装置Ｂは、磁気ディスク装置に搭載されて使用されるものであり、この場合には、ディスク駆動装置に加え、スイングアーム等の先端に取り付けられ、ディスク駆動装置により一定高速回転されるディスク媒体の表面の磁気記録層に対して磁気データを読み書きする磁気ヘッドや、磁気ヘッドをディスク媒体の任意のトラック上に移動するためのアクチュエータ（位置決め装置）などが筐体の中に半密閉状態で収納され、磁気ディスク装置とされる。磁気ディスク装置において、ディスク駆動装置の高さが磁気ディスク装置の高さを決める一つの要素となっているため、本実施例で示した薄型化を図ることができるディスク駆動装置Ｂを搭載する場合には、磁気ディスク装置の薄型化をも図ることが可能である。
【図面の簡単な説明】
【００３７】
【図１】本発明に係るディスク駆動装置の一実施形態として示した側断面図である。
【図２】従来のディスク駆動装置の側断面図である。
【符号の説明】
【００３８】
１    ベース
２    軸受スリーブ
３    シャフト
３ａ  小径部
４    ハブ
４ｂ  突出部
４ｄ  雄ネジ部
４ｅ  天井板部
４ｇ  側壁部
４ｈ  頭部
４ｊ  受部
４ｋ  段差部
５    ディスク媒体
６    クランプ
６ｃ  折曲部
７    クランプネジ
７ａ  ネジ部
７ｂ  ネジ部頭部
８    動圧軸受部
９    ナット
Ｈ    ディスク駆動装置の高さ
【図１】
2006139859.tif 000003
【図２】
2006139859.tif 000004